【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
送信装置から配信される暗号化されたコンテンツデータを受信し、端末機器から前記暗号化されたコンテンツデータを復号するための情報とを受信することにより、前記暗号化されたコンテンツデータを復号化して再生する放送受信装置であって、
前記送信装置から配信される、コンテンツ鍵を用いて暗号化されたコンテンツデータと前記放送受信装置の受信機ＩＤを用いて暗号化された保護鍵とが多重化されたデータを受信する受信手段と、
前記多重化されたデータから、暗号化されたコンテンツデータと暗号化された保護鍵とを分離する分離手段と、
前記放送受信装置の受信機ＩＤを保存する受信機ＩＤ保存手段と、
前記受信機ＩＤを用いて、前記暗号化された保護鍵から保護鍵を復号する暗号化保護鍵復号化手段と、
前記端末機器から送信される暗号化されたコンテンツ鍵を受信する通信手段と、
復号された保護鍵を用いて前記暗号化されたコンテンツ鍵を復号する暗号化コンテンツ鍵復号手段と、
前記暗号化されたコンテンツデータを復号されたコンテンツ鍵によってコンテンツデータとして復号する暗号化コンテンツ復号化手段とを備え、
復号されたコンテンツデータを再生する再生手段とを有することを特徴とする放送受信装置。
【請求項２】
前記通信手段は、前記暗号化されたコンテンツ鍵を受信するために、前記端末機器に、ライセンスの要求を行うことを特徴とする請求項１記載の放送受信装置。
【請求項３】
送信装置から配信される暗号化されたコンテンツデータを受信し、端末機器から前記暗号化されたコンテンツデータを復号するための情報とを受信することにより、前記暗号化されたコンテンツデータを復号化して再生する放送受信装置であって、
前記送信装置から配信される、コンテンツ鍵を用いて暗号化されたコンテンツデータと、前記放送受信装置の受信機ＩＤを用いて暗号化された保護鍵とが多重化されたデータを受信する受信手段と、
前記多重化されたデータから前記暗号化されたコンテンツデータと前記暗号化された保護鍵とを分離する分離手段と、
前記放送受信装置の受信機ＩＤを保存する受信機ＩＤ保存手段と、
前記受信機ＩＤを用いて、前記暗号化された保護鍵から保護鍵を復号する暗号化保護鍵復号化手段と、
前記暗号化されたコンテンツデータと前記復号された保護鍵とを前記端末機器に送信する通信手段とを備え、
前記端末機器は、前記送信装置から受信した暗号化されたコンテンツ鍵を前記復号された保護鍵を使用して復号し、復号されたコンテンツ鍵を使用して前記暗号化されたコンテンツデータを復号し、
前記通信手段は、復号されたコンテンツデータを受信し、
前記復号されたコンテンツデータを再生する再生手段を有することを特徴とする放送受信装置。
【請求項４】
前記通信手段は、前記放送受信装置と前記端末機器との間でのみ解読可能な暗号化通信よってデータの送受信を行うことを特徴とする請求項３記載の放送受信装置。
【請求項５】
前記受信手段は、前記送信装置から、ＥＭＭ（Ｅｎｔｉｔｌｅｍｅｎｔ  Ｍａｎａｇｅｍｅｎｔ  Ｍｅｓｓａｇｅ）を用いて暗号化された保護鍵を受信するものであることを特徴とする請求項１から請求項４までのいずれかに記載の放送受信装置。
【請求項６】
前記受信手段は、前記多重化されたデータに、コンテンツの付帯情報がさらに多重化されたデータを受信するものであることを特徴とする請求項１から請求項５までのいずれかに記載の放送受信装置。
【請求項７】
暗号化されたコンテンツデータを放送受信装置に送信するとともに、この放送受信装置に前記暗号化されたコンテンツデータを復号するための情報を送信する端末機器に対して、前記暗号化されたコンテンツデータのコンテンツ鍵に関するライセンスを付与する送信装置であって、
複数のコンテンツデータを記憶し蓄積するコンテンツサーバと、
前記コンテンツ鍵を用いてコンテンツデータを暗号化するコンテンツ暗号化手段と、
保護鍵を用いて前記コンテンツ鍵を暗号化するコンテンツ鍵暗号化手段と、
前記放送受信装置を識別する受信機ＩＤを用いて前記保護鍵を暗号化する保護鍵暗号化手段と、
暗号化された保護鍵と前記暗号化されたコンテンツデータを多重化する多重化手段と、多重化されたデータを前記放送受信装置に送信する送信手段と、
前記端末機器から、暗号化されたコンテンツ鍵の送信を求めるライセンス要求とともに、端末ＩＤを受信する通信手段と、
受信した端末ＩＤにより不正機器であるかどうかを確認するＩＤ判定手段とを備え、
不正機器ではないと判定された端末機器にのみ、前記通信手段を介して前記ライセンスを送信することを特徴とする送信装置。
【請求項８】
暗号化されたコンテンツデータを配信する送信装置と、前記暗号化されたコンテンツデータを受信する放送受信装置と、前記暗号化されたコンテンツデータを復号するための情報を取得する端末機器とを備えた放送システムであって、
前記送信装置は、
コンテンツ鍵を用いてコンテンツデータを暗号化するコンテンツ暗号化手段と、
保護鍵を用いて前記コンテンツ鍵を暗号化するコンテンツ鍵暗号化手段と、
前記放送受信装置を識別する受信機ＩＤを用いて前記保護鍵を暗号化する保護鍵暗号化手段と、
暗号化された保護鍵と暗号化されたコンテンツデータとを多重化して前記放送受信装置に送信する送信手段と、
前記端末機器から受信した端末ＩＤにより不正機器であるかどうかを確認するＩＤ判定手段と、
前記不正機器ではないと判定された端末機器にのみ、前記暗号化されたコンテンツ鍵を送信する通信手段とを備え、
前記放送受信装置は、
多重化されたデータを受信する受信手段と、前記多重化されたデータから、前記暗号化された保護鍵と前記暗号化されたコンテンツデータとを分離する分離手段と、
前記受信機ＩＤを用いて、前記暗号化された保護鍵から保護鍵を復号する暗号化保護鍵復号化手段とを備え、
前記ＩＤ判定手段により不正機器ではないと判定された端末機器は、前記送信装置からライセンスとして送られてくる前記暗号化されたコンテンツ鍵を受信する通信手段と、前記ライセンスを保存する記憶手段とを備え、
前記放送受信装置は、
前記不正機器ではないと判定された端末機器から暗号化されたコンテンツ鍵を受信する通信手段と、
前記暗号化されたコンテンツ鍵からコンテンツ鍵を復号する暗号化コンテンツ鍵復号化手段と、
前記暗号化されたコンテンツデータからコンテンツデータを復号する暗号化コンテンツ復号化手段とを有することを特徴とする放送システム。
【請求項９】
前記暗号化されたコンテンツ鍵からコンテンツ鍵を復号する暗号化コンテンツ鍵復号化手段と、前記暗号化されたコンテンツデータからコンテンツデータを復号する暗号化コンテンツ復号化手段を、前記端末装置に設け、前記放送受信装置から前記端末機器に、前記暗号化されたコンテンツデータと、復号された保護鍵とを送信することを特徴とする請求項８記載の放送システム。
【請求項１０】
放送受信装置が、送信装置から配信される暗号化されたコンテンツデータを受信するとともに、端末機器から送信される前記暗号化されたコンテンツデータを復号するための情報を受信して、前記暗号化されたコンテンツデータを復号化し、復号されたコンテンツデータを再生する放送受信方法であって、
前記放送受信装置が、前記送信装置から配信される、コンテンツ鍵を用いて暗号化されたコンテンツデータと前記放送受信装置の受信機ＩＤを用いて暗号化された保護鍵とが多重化されたデータを受信するステップと、
前記多重化されたデータから、暗号化されたコンテンツデータと暗号化された保護鍵とを分離するステップと、
前記放送受信装置で保存されている受信機ＩＤを用いて、前記暗号化された保護鍵から保護鍵を復号するステップと、
前記端末機器から、暗号化されたコンテンツ鍵を受信するステップと、
復号された保護鍵を用いて前記暗号化されたコンテンツ鍵を復号するステップと、
復号されたコンテンツ鍵を用いて前記暗号化されたコンテンツデータを復号するステップと、
復号されたコンテンツデータを再生するステップとを有することを特徴とする放送受信方法。
【手続補正２】
【補正対象書類名】明細書
【補正対象項目名】発明の名称
【補正方法】変更
【補正の内容】
【発明の名称】放送受信装置、送信装置、放送システム、及び放送受信方法
【手続補正３】
【補正対象書類名】明細書
【補正対象項目名】０００７
【補正方法】変更
【補正の内容】
【０００７】
上述の課題を解決するために、本発明は、送信装置から配信される暗号化されたコンテンツデータを受信し、端末機器から前記暗号化されたコンテンツデータを復号するための情報とを受信することにより、前記暗号化されたコンテンツデータを復号化して再生する放送受信装置であって、前記送信装置から配信される、コンテンツ鍵を用いて暗号化されたコンテンツデータと前記放送受信装置の受信機ＩＤを用いて暗号化された保護鍵とが多重化されたデータを受信する受信手段と、前記多重化されたデータから、暗号化されたコンテンツデータと暗号化された保護鍵とを分離する分離手段と、前記放送受信装置の受信機ＩＤを保存する受信機ＩＤ保存手段と、前記受信機ＩＤを用いて、前記暗号化された保護鍵から保護鍵を復号する暗号化保護鍵復号化手段と、前記端末機器から送信される暗号化されたコンテンツ鍵を受信する通信手段と、復号された保護鍵を用いて前記暗号化されたコンテンツ鍵を復号する暗号化コンテンツ鍵復号手段と、前記暗号化されたコンテンツデータを復号されたコンテンツ鍵によってコンテンツデータとして復号する暗号化コンテンツ復号化手段とを備え、復号されたコンテンツデータを再生する再生手段とを有することを特徴とする。